(57)【特許請求の範囲】
【請求項１】
ＬＡＮコネクタからの抜け落ちを防止するラッチ機能を有するＬＡＮケーブルコネクタの形成に用いられ、
ＬＡＮコネクタへの挿入方向先端部を形成する中空直方体状の本体部と、
該本体部によって保持され、前記本体部の内部においてＬＡＮケーブルの素線と電気的に接続される複数の端子と、
前記ラッチ機能を発揮させるための係止片とを備え、
前記本体部を通じて前記端子を外部から視認可能で、且つ、該本体部が樹脂組成物によって前記係止片と一体形成されており、
前記係止片は、ＬＡＮコネクタへの挿入方向先端側において前記本体部の天井壁の上面側に一端部が固定され、該固定された箇所から前記挿入方向とは逆方向に先上り傾斜する傾斜部を有し、該係止片の前記傾斜部には前記ＬＡＮコネクタに係止させて前記ラッチ機能を発揮させるための係止部が備えられており、
前記傾斜部が倒伏する方向に弾性変形可能で、該傾斜部の弾性復元と前記弾性変形とによって前記係止部が上下に移動してＬＡＮコネクタへのラッチ状態とラッチ解除状態とが切り替えられるコネクタ部材であって、
前記係止片及び前記本体部を形成する前記樹脂組成物のベース樹脂がポリプロピレン樹脂であり、且つ、前記樹脂組成物は、ＪＩＳ  Ｋ７１６１，７１６２（１９９４）に基づいて測定される引張破壊呼びひずみが３００％以上であることを特徴とするコネクタ部材。
【請求項２】
前記ポリプロピレン樹脂が、エチレンを含むランダムポリプロピレン樹脂である請求項１記載のコネクタ部材。
【請求項３】
前記樹脂組成物は、ＪＩＳ  Ｋ７１３６（２０００）に基づいて測定される１ｍｍ厚みでのヘーズが、２０％以下である請求項１又は２記載のコネクタ部材。
【請求項４】
前記樹脂組成物は、ＪＩＳ  Ｋ７１７１（１９９４）に基づいて測定される曲げ弾性率が７５０ＭＰａ以上２０００ＭＰａ以下である請求項１乃至３の何れか１項に記載のコネクタ部材。
【請求項５】
前記樹脂組成物は、ＪＩＳ  Ｋ７１７１（１９９４）に基づいて測定される曲げ応力が１５ＭＰａ以上６０ＭＰａ以下である請求項１乃至４の何れか１項に記載のコネクタ部材。
【発明の詳細な説明】
【技術分野】
【０００１】
本発明は、ＬＡＮケーブルコネクタの形成に用いられるコネクタ部材に関し、より詳しくはＬＡＮコネクタからの抜け落ちを防止するラッチ機能を備えたＬＡＮケーブルコネクタの形成に用いられるコネクタ部材に関する。
【背景技術】
【０００２】
従来、パーソナルコンピュータ（ＰＣ）などの端末機器をローカルエリアネットワーク（ＬＡＮ）に接続する方法においては、有線接続や無線接続による方法が採用されており、前者の場合はコネクタを用いた接続方法が広く採用されている。
この有線接続によって複数の端末でＬＡＮを構築する際には、通常、ルータやハブなどのＬＡＮ側の機器と、ＰＣなどの端末側の機器とにそれぞれ差込口を有するＬＡＮコネクタを設け、該ＬＡＮコネクタに対応するコネクタを両末端に備えたＬＡＮケーブルでこれらの機器を接続する方法が一般的に採用されている。
【０００３】
前記のようなＬＡＮケーブル用のコネクタは、例えば、ＬＡＮケーブルを導入するためにＬＡＮコネクタへの挿入方向末端側を開口させた“ＲＪ−４５プラグ”などと呼ばれるコネクタ部材と、該コネクタ部材の前記開口を末端側から閉塞するとともにコネクタ部材とＬＡＮケーブルとの固定を補強する保護ブーツとによって構成されたものが知られている。
【０００４】
そして、前記コネクタ部材は、通常、ＬＡＮコネクタへの挿入方向先端部を形成する直方体状の本体部と、前記本体部の内部において前記開口から導入したＬＡＮケーブルの素線と電気的に接続される複数の端子とを備え、ＬＡＮケーブルコネクタを形成させる際には圧着工具などによってＬＡＮケーブルの末端に装着されたりしている。
より具体的には、例えば、従来のＬＡＮケーブルコネクタは、ＬＡＮケーブルの外部被覆を剥離して素線が外部被覆から所定長さで突出する状態とされ、該素線が所定の順番となるように並列配置されてコネクタ部材に挿入され、この状態でコネクタ部材が圧着工具によってかしめられて該コネクタ部材の端子と素線とが電気的に接続されるような方法によって形成されている。
【０００５】
ところで、このようなＬＡＮケーブルによって接続されているＰＣ等は、ＬＡＮケーブルコネクタが、不用意にＬＡＮコネクタから抜け落ちてしまうとシステムにダメージを与えるなどの不具合が生じるおそれがある。
従って、ＬＡＮケーブルコネクタとしては、下記特許文献１において“フラッパー”などと称されている片持ち状態の係止片が前記コネクタ部材に設けられてＬＡＮコネクタからの抜け落ちを防止するラッチ機能を発揮させるように構成されたものが広く採用されている。
【０００６】
このような係止片を備えたコネクタ部材としては、従来、透明性に優れたポリカーボネート樹脂をベース樹脂とした樹脂組成物によって前記係止片や前記本体部が一体形成されたものが知られており、前記係止片は、通常、ＬＡＮコネクタへの挿入方向先端側において前記本体部の天井壁部に一端側が固定され、且つ前記固定された箇所から前記挿入方向とは逆方向に先上がり傾斜した傾斜部を有している。
そして、この種のコネクタ部材は、前記ＬＡＮコネクタに係止されて前記ラッチ機能が発揮される係止部が前記係止片の傾斜部に備えられており、前記傾斜部が倒伏する方向に弾性変形可能で、該傾斜部の弾性復元と前記弾性変形とによって前記係止部が上下に移動されてＬＡＮコネクタへの係止（ラッチ）状態と係止（ラッチ）解除状態とが切り替えられるように構成されている。
【先行技術文献】
【特許文献】
【０００７】
【特許文献１】国際公開番号  ＷＯ２００５／００４２９３号公報
【発明の概要】
【発明が解決しようとする課題】
【０００８】
従来のコネクタ部材は、その本体部を構成しているポリカーボネート樹脂が透明性に優れることからＬＡＮケーブルへの装着に際して導入した素線と端子との位置関係が当該本体部を通じて外部から視認可能で当該装着作業を容易に実施可能なものとなっている。
また、従来のコネクタ部材は、ＬＡＮケーブルへの装着後においても、端子と素線との接続が良好になされているかどうかを目視にて判別しやすいものとなっている。
その一方で、従来のコネクタ部材は、ポリカーボネート樹脂が比較的硬質であるために、係止片が本体部との接続部分で折れ易く、ラッチ機能が損なわれるおそれを有している。
【０００９】
即ち、従来のＬＡＮケーブルコネクタは、形成に際しての作業性が良好であるもののラッチ機能を長期にわたって維持させることが困難であるという問題を有している。
本発明は、このような問題点を解決すべくなされたもので形成に際しての作業性が良好で且つラッチ機能を長期にわたって維持させることが可能なＬＡＮケーブルコネクタを提供することを課題としている。
【課題を解決するための手段】
【００１０】
本発明者は、上記課題を解決すべく鋭意検討を行った結果、ポリプロピレン樹脂をベース樹脂とした樹脂組成物をコネクタ部材の本体部や係止片の形成材料として採用することで、本体部内における素線や端子の外部からの視認性を良好なものとしつつ係止片を従来のものに比べて折れ難くさせ得ることを見出して本発明を完成させるに至ったものである。
【００１１】
即ち、上記課題を解決するためのコネクタ部材に係る本発明は、ＬＡＮコネクタからの抜け落ちを防止するラッチ機能を有するＬＡＮケーブルコネクタの形成に用いられ、ＬＡＮコネクタへの挿入方向先端部を形成する中空直方体状の本体部と、該本体部によって保持され、前記本体部の内部においてＬＡＮケーブルの素線と電気的に接続される複数の端子と、前記ラッチ機能を発揮させるための係止片とを備え、前記本体部を通じて前記端子を外部から視認可能で、且つ、該本体部が樹脂組成物によって前記係止片と一体形成されており、前記係止片は、ＬＡＮコネクタへの挿入方向先端側において前記本体部の天井壁の上面側に一端部が固定され、該固定された箇所から前記挿入方向とは逆方向に先上り傾斜する傾斜部を有し、該係止片の前記傾斜部には前記ＬＡＮコネクタに係止させて前記ラッチ機能を発揮させるための係止部が備えられており、前記傾斜部が倒伏する方向に弾性変形可能で、該傾斜部の弾性復元と前記弾性変形とによって前記係止部が上下に移動してＬＡＮコネクタへのラッチ状態とラッチ解除状態とが切り替えられるコネクタ部材であって、前記係止片及び前記本体部を形成する前記樹脂組成物のベース樹脂がポリプロピレン樹脂であることを特徴としている。
【発明の効果】
【００１２】
本発明によれば、係止片及び本体部を形成する前記樹脂組成物のベース樹脂がポリプロピレン樹脂であることから、本体部の内部視認性を確保しつつ係止片の折れを抑制することができる。
即ち、本発明によれば、形成に際しての作業性が良好でありながらラッチ機能を長期にわたって維持させることが可能なＬＡＮケーブルコネクタを提供することができる。
【００１３】
なお、本発明においては、係止片及び本体部を形成する前記樹脂組成物のベース樹脂たるポリプロピレン樹脂が、エチレンを含むランダムポリプロピレン樹脂であることが好ましい。
ランダムポリプロピレン樹脂は、ホモポリプロピレン樹脂やブロックポリプロピレン樹脂に比べて透明性や柔軟性において優れており、前記の好ましい態様によれば、本発明の効果をより顕著に発揮させ得る。
【００１４】
さらに、本発明においては、係止片及び本体部を形成する前記樹脂組成物のＪＩＳ  Ｋ７１３６（２０００）に基づいて測定される１ｍｍ厚みでのヘーズが２０％以下であることが好ましい。
この好ましい態様によれば、本体部内における端子や素線の視認性が良好となることから、ＬＡＮケーブルへ装着作業の作業性を良好なものとすることができＬＡＮケーブルコネクタをより一層形成容易なものとすることができる。
【図面の簡単な説明】
【００１５】
【図１】本発明のコネクタ部材により形成されたＬＡＮケーブルコネクタを示す概略斜視図。
【図２】本発明のコネクタ部材の使用例を示した概略側面図（（ａ）圧着工具によるかしめ前、（ｂ）圧着工具によるかしめ後）。
【図３】ＬＡＮケーブルコネクタと接続されるＬＡＮコネクタを示す概略斜視図。
【図４】本発明のコネクタ部材により形成されたＬＡＮケーブルコネクタのＬＡＮコネクタへの係止状態を示した概略断面図（（ａ）ＬＡＮケーブルコネクタ挿入時、（ｂ）挿入完了時）。
【発明を実施するための形態】
【００１６】
以下に、本発明のコネクタ部材について図を参照しつつ説明する。
なお、以下においてＬＡＮケーブルコネクタについて説明する際には、ＬＡＮコネクタへの挿入方向（図１の矢印Ｘ）の先端側を単に“先端側”、又は“前方側”と称し、これとは逆のＬＡＮコネクタへの挿入方向末端側を単に“末端側”、又は“後方側”と称する場合がある。
また、以下においてＬＡＮコネクタについて説明する際には、ＬＡＮケーブルコネクタが挿入される方向とは逆方向（図３の矢印Ｙ）における先端側を単に“先端側”、“前側”又は“手前側”と称し、逆側を“末端側”、“後方側”、又は、“奥側”と称する場合がある。
また、以下においては、水平面内において前記挿入方向と直交する方向（図１、３の矢印Ｗ）を“左右”や“幅方向”と称し、垂直面内において前記挿入方向と直交する方向（図１、３の矢印Ｔ）を“上下”や“高さ方向”と称する場合がある。
【００１７】
図に示すように、本実施形態のコネクタ部材１０は、保護ブーツ２０とともにＬＡＮケーブルコネクタ１００を形成するもので、ＬＡＮコネクタからの抜け落ちを防止するラッチ機能を有するＬＡＮケーブルコネクタ１００の形成に用いられるものである。
該コネクタ部材１０は、ＬＡＮケーブルコネクタ１００の先端部を形成する中空直方体状の本体部１１と、該本体部１１によって保持され、前記本体部の内部においてＬＡＮケーブル２００の素線２１０と電気的に接続される複数の端子１２と、前記ラッチ機能を発揮させるための係止片１３とを備えている。
【００１８】
本実施形態のコネクタ部材１０は、前記本体部１１を通じて前記端子１２が視認可能となるように当該本体部１１が透明な樹脂組成物によって形成され、且つ、該樹脂組成物によって前記係止片１３が該本体部１１と一体形成されている。
なお、本明細書中における“透明”との用語は、狭義な意味で用いているわけではなく、“無色透明”のみならず、“有色透明”である場合や、やや白濁した“半透明”などと称されるような場合をも包含する意味に用いている。
【００１９】
前記本体部１１は、前記のように中空直方体状で、より詳しくは、前記直方体の６面に相当する箇所の内、末端側がＬＡＮケーブルを導入するための開口部となっている。
また、前記本体部１１は、残りの５面に相当する部分には外壁を備えている。
前記本体部１１は、先端面の形状が横長の長方形となっており、前記外壁として、前記先端面を形成している前壁１１ｘ、該前壁１１ｘの上縁部から後方側に延びる天井壁１１ａ、前記前壁１１ｘの左右の側縁部からそれぞれ後方側に延びる２つの側壁１１ｂ、及び、前記前壁１１ｘの下縁部から後方側に延びる底壁１１ｃを有している。
そして、前記本体部１１は、前記外壁によって囲まれた内部空間にＬＡＮケーブル２００の素線２１０を案内するための部材（図示せず）をさらに備えている。
【００２０】
前記本体部１１は、ＬＡＮコネクタへの挿入方向に沿って延在する複数のスリット１１ｚを有し、該スリット１１ｚが前記底壁１１ｃの先端側を上下に貫通する形で備えられている。
また、前記本体部１１は、該スリット１１ｚの先端が前壁１１ｘにまで到達しており、当該前壁１１ｘの下端も前記スリット１１ｚによって前後に貫通されている。
【００２１】
前記端子１２は、本実施形態においては、前記スリット１１ｚの形成幅と略同じ厚みを有する金属板であり、該スリット１１ｚに挿入される形で前記本体部１１に保持されている。
なお、前記端子１２は、図２（ａ）に示すように圧着工具によるかしめ前においては、底壁１１ｃの下面よりも下方に突出する形で本体部１１に保持されており、図２（ｂ）に示すように前記圧着工具によって上方に押し込まれることによってＬＡＮケーブル２００の素線２１０と電気的に接続されるべくコネクタ部材１０に備えられている。
【００２２】
本実施形態のコネクタ部材１０は、本体部１１の底壁１１ｃが上記のように形成されている一方で天井壁側には、前記係止片１３が備えられている。
本実施形態における前記係止片１３は、天井壁１１ａよりも幅の狭い長板状でその長手方向がＬＡＮコネクタへの挿入方向となるようにコネクタ部材１０に備えられ、長手方向一端部が前記本体部１１に固定された固定端とされ、且つ、他端部が自由端とされる形でコネクタ部材１０に備えられている。
該係止片１３の前記一端部は、前記本体部１１の先端側、且つ、幅方向中央部となる位置において天井壁１１ａの上面側に固定されている。
本実施形態の前記係止片１３は、該固定された箇所から末端側に先上り傾斜する傾斜部１３ａを有し、該係止片１３の前記傾斜部１３ａには前記ＬＡＮコネクタに係止させて前記ラッチ機能を発揮させるための係止部１３ｘが備えられている。
【００２３】
該傾斜部１３ａは、その末端が前記本体部１１の末端よりも後方に位置するように形成されており、前記固定端側（先端側）が前記自由端側（末端側）よりも広幅で、先端側の広幅部１３ａ１と末端側の細幅部１３ａ２とが形成幅を傾斜的に変化させることなく連設されて構成されている。
従って、傾斜部１３ａは、広幅部１３ａ１と末端側の細幅部１３ａ２との境界部に段差が形成されており、該段差を前記係止部１３ｘとして機能させ得るように構成されている。
【００２４】
なお、本実施形態のコネクタ部材１０は、前記傾斜部１３ａが起立する方向（図２のＤ１）及び前記傾斜部１３ａが倒伏する方向（図２のＤ２）の何れにも弾性変形可能となっており、該弾性変形によって前記係止部１３ｘを上下動させ得るように構成されている。
また、本実施形態のコネクタ部材１０は、前記弾性変形後における復元力により前記傾斜部１３ａを元の姿勢に復帰させうるように形成されている。
【００２５】
該係止部１３ｘによるラッチ機能について、図３に例示のＬＡＮコネクタ３００に対し、図１に例示のＬＡＮケーブルコネクタ１００を接続する場合を例に、図４を参照しつつ説明すると、前記ＬＡＮコネクタ３００は、ＬＡＮケーブルコネクタ１００を先端側から見た場合の輪郭形状に相当する差込口を有し、且つ、該差込口から奥側に向けて凹入した収容凹部３１を有している。
該収容凹部３１は、その奥行が前記本体部１１よりも僅かに短くＬＡＮケーブルコネクタ１００を末端側の一部を除いて収容可能となっている。
前記ＬＡＮコネクタ３００は、差込口に近い手前側の上部に下方に向けて突出する２つの突片３３を有し、該突片３３を左右に離間させる形で備えている。
そして、該突片３３の離間幅は、前記傾斜部１３の広幅部１３ａ１の幅より狭く、且つ、細幅部１３ａ２の幅よりも広くなっている。
また、ＬＡＮコネクタ３００は、前面を開口させた前記収容凹部３１の底部を画定する内壁面から前記端子１２と電気的な接続を行うためのピン３２を突出させており、該ピン３２が奥向きに先上りするように設けられている。
【００２６】
そして、ＬＡＮケーブルコネクタ１００は、前記差込口から収容凹部３１への挿入に際し、前記のピン３２によって上方に付勢されることで、前記差込口において広幅部１３ａ１が突片３３に当接されることになる。
しかし、ＬＡＮケーブルコネクタ１００は、前記傾斜部１３が倒伏方向に弾性変形可能であることから、図４（ａ）に示されているように、収容凹部３１の奥に向けて挿入させる際の押込力により前記傾斜部１３が倒伏方向に前記弾性変形し、ＬＡＮコネクタ３００への進入が許容されることになる。
そして、本実施形態のＬＡＮケーブルコネクタ１００は、図４（ｂ）に示されているように、最終的には前記突片３２の形成区間を前記係止部１３ｘが通り過ぎ、前記傾斜部１３の弾性復元により前記細幅部１３ａ２が突片３３の間に入り込む形となって広幅部１３ａ１の末端（係止部１３ｘ）が、突片３３の奥側に係止されることになる。
このようにして、本実施形態のＬＡＮケーブルコネクタ１００は、ピン３２との端子１２との電気的な接続を不用意に途切れさせないためのラッチ機能を発揮することになる。
【００２７】
そして、前記ＬＡＮケーブルコネクタ１００は、図４（ｂ）に示したラッチ状態から、細幅部１３ａ２の末端部を本体部側に押し下げることで傾斜部１３ａを倒伏方向に弾性変形させ、前記係止部１３ｘを下方に移動させて前記突片３３との係合を解除させることができる。
即ち、本実施形態のコネクタ部材１０は、前記傾斜部１３の弾性復元と弾性変形とによって前記係止部１３ｘが上下に移動してＬＡＮコネクタ３００へのラッチ状態とラッチ解除状態とが切り替えられるように構成されている。
【００２８】
ここで従来のコネクタ部材は、係止片と本体部とが硬質なポリカーボネート樹脂によって形成されているために前記傾斜部を起立する方向に応力を加えるなどすると係止片が本体部との固定部分で折れてしまい、当該係止片が本体部から脱落する状況を引き起こすおそれの高いものである。
一方で、本実施形態のコネクタ部材１０は、前記係止片１３及び前記本体部１１の形成にポリプロピレン樹脂をベース樹脂とした樹脂組成物が用いられている。
従って、傾斜部１３ａを起立する方向に応力を加えても係止片１３の折れが生じにくく、ラッチ機能が失われるおそれが低い。
【００２９】
前記係止片１３や前記本体部１１の形成に用いられる樹脂組成物のベース樹脂は、実質的にプロピレンのみを構成単位とするホモポリプロピレン樹脂であっても、プロピレン以外にエチレンを僅かに含むランダムポリプロピレン樹脂やブロックポリプロピレン樹脂であっても良いが、前記本体部１１に優れた透明性を付与し、且つ、前記係止片１３に優れた弾性変形性を付与する上においては、ランダムポリプロピレン樹脂を採用することが好ましい。
【００３０】
即ち、ランダムポリプロピレン樹脂は、ホモポリプロピレン樹脂やブロックポリプロピレン樹脂に比べてポリプロピレンの結晶性が適度に抑制されて透明性に優れているとともにホモポリプロピレン樹脂に比べて靱性に優れている点において前記樹脂組成物のベース樹脂として好適である。
なお、本実施形態においては、前記ポリプロピレン樹脂は、前記樹脂組成物中に１種単独で含有させる必要性は無く複数種類のものを前記樹脂組成物中に含有させてもよい。
【００３１】
前記樹脂組成物は、上記のようなポリプロピレン樹脂をベース樹脂とすることで、ＪＩＳ  Ｋ７１３６（２０００）に基づいて測定される１ｍｍ厚みでのヘーズが、２０％以下であることが好ましい。
このようなヘーズ値を有する樹脂組成物は、前記本体部１１を形成させた際に、端子１２や素線２１０の状態が、天井壁１１ａや側壁１１ｂなどを通じて視認容易となり、例えば、コネクタ部材１０への素線２１０の挿入長さが不足したり、素線２１０がコネクタ部材１０の内部で屈曲したりして素線２１０が端子位置まで到達していない状態で圧着工具によるかしめが実施されてしまうことを抑制することができる。
また、上記のようなヘーズ値を有する樹脂組成物は、かしめ後における素線２１０と端子１２との接続状態を本体部１１を通じて視認容易とさせ得る。
即ち、このようなヘーズ値を有する樹脂組成物の利用は、ＬＡＮケーブルコネクタ１００の形成に際しての作業性に優れたコネクタ部材１０が得られるだけでなく、電気的な信頼性に優れたＬＡＮケーブルコネクタ１００を形成容易なコネクタ部材１０が得られるという利点を有する。
【００３２】
また、前記係止片１３が折れて本体部１１から脱落することをより確実に防止する上において、前記樹脂組成物は、ＪＩＳ  Ｋ７１６１，７１６２（１９９４）に基づいて測定される引張破壊呼びひずみが３００％以上であることが好ましく、４００％以上であることが特に好ましい。
【００３３】
なお、係止片が過度に柔軟すぎると、当該係止片の末端側の操作が係止部の上下動に反映され難くなり、例えば、係止状態の解除がスムーズに行われなくなるおそれを有する。
従って、前記係止片１３を折れ難く、且つ、係止状態をスムーズに解除可能なものとする上においては、前記樹脂組成物が、所定の曲げ弾性率、及び、曲げ応力を有することが好ましい。
具体的には、前記樹脂組成物は、ＪＩＳ  Ｋ７１７１（１９９４）に基づいて測定される曲げ弾性率が７５０ＭＰａ以上２０００ＭＰａ以下であることが好ましく、１０００ＭＰａ以上１５００ＭＰａ以下であることが特に好ましい。
また、前記樹脂組成物は、ＪＩＳ  Ｋ７１７１（１９９４）に基づいて測定される曲げ応力が１５ＭＰａ以上６０ＭＰａ以下であることが好ましく、２０ＭＰａ以上４５ＭＰａ以下であることが特に好ましい。
【００３４】
さらに、前記樹脂組成物は、前記係止片１３や前記本体部１１を射出成形等の簡便な手法によって一体形成させる上においてＪＩＳ  Ｋ７２１０（１９９９）のＢ法条件Ｍ（２３０℃、公称荷重２．１６ｋｇ）によるメルトマスフローレイト（ＭＦＲ）が５ｇ／１０ｍｉｎ以上、２０ｇ／１０ｍｉｎ以下であることが好ましく、７ｇ／１０ｍｉｎ以上、１０ｇ／１０ｍｉｎ以下であることが特に好ましい。
【００３５】
なお、前記樹脂組成物は、その透明性や柔軟性に対して著しい悪影響を与えない範囲において前記ベース樹脂以外のポリマーを含有させることができる。
ポリプロピレン樹脂以外のポリマーを含有させる場合は、樹脂組成物に占める全ポリマー成分の内の５質量％以下となるように含有させることが好ましく、１質量％以下となるように含有させることが特に好ましい。
【００３６】
また、前記樹脂組成物は、その透明性や柔軟性に対して著しい悪影響を与えない範囲において前記ベース樹脂以外の成分として一般的なゴム・プラスチック用の薬剤を含有させることができる。
本実施形態における前記樹脂組成物には、例えば、酸化防止剤、老化防止剤、紫外線吸収剤、耐候剤、難燃剤、防曇剤、帯電防止剤、抗菌剤、防黴剤、防鼠剤、滑剤、加工助剤、離型剤、着色剤などを適宜含有させることができる。
【００３７】
さらに、本実施形態の樹脂組成物には、これら以外にも各種の添加剤を含有させることが可能である。
【００３８】
なお、本実施形態においては、上記のような例示によってコネクタ部材を詳細に説明しているが、本発明のコネクタ部材は上記例示のものに限定されるものではない。
従って、上記に例示されていない事項であっても、コネクタ部材やＬＡＮケーブルコネクタなどに関して従来公知の技術事項で、本発明の効果を著しく阻害しないような技術事項であれば、これを採用して各種変更を加えてもよく、そのような場合も本発明のコネクタ部材として意図する範囲のものである。
【符号の説明】
【００３９】
１０：コネクタ部材、１１：本体部、１１ａ：天井壁、１２：端子、１３：係止片、１３ａ：傾斜部、１３ｘ：係止部、２０：保護ブーツ、３１：差込口、３２：ピン、３３：突片、１００：ＬＡＮケーブルコネクタ、２００：ＬＡＮケーブル、２１０：素線、３００：ＬＡＮコネクタ
【図１】
0005964799.tif 000002
【図３】
0005964799.tif 000003
【図２】
0005964799.tif 000004
【図４】
0005964799.tif 000005